(57)【要約】  該電子機器（１００）は、主表示スクリーン（１１０）と補助表示スクリーン（１２０）とを含んでおり、前記主表示スクリーン（１１０）と前記補助表示スクリーン（１２０）とは、それぞれ前記電子機器（１００）の異なる領域に位置し、前記主表示スクリーン（１１０）は、第１表示モードで表示するように配置され、前記補助表示スクリーン（１２０）は、第２表示モードで表示するように配置され、前記第１表示モードは、前記電子機器（１００）がオンとなると、非待機状態で表示オン状態にあり、待機状態中または前記電子機器（１００）がオフとなると、表示オフ状態にあるモードであり、前記第２表示モードは、前記電子機器（１００）がオンとなると、常に表示状態にあるモードである
2020504912.tif 000002
【特許請求の範囲】
【請求項１】
主表示スクリーンと補助表示スクリーンとを含む電子機器であって、
前記主表示スクリーンと前記補助表示スクリーンとは、それぞれ前記電子機器の異なる領域に位置し、
前記主表示スクリーンは、第１表示モードで表示するように配置され、
前記補助表示スクリーンは、第２表示モードで表示するように配置され、
前記第１表示モードは、前記電子機器がオンとなると、非待機状態で表示オン状態にあり、待機状態中または前記電子機器がオフとなると、表示オフ状態にあるモードであり、
前記第２表示モードは、前記電子機器がオンとなると、常に表示状態にあるモードである
電子機器。
【請求項２】
前記主表示スクリーンは、前記電子機器の上面における中間領域に設けられ、
前記補助表示スクリーンは、前記電子機器の上面における前記中間領域周りの周辺領域に設けられている
請求項１に記載の電子機器。
【請求項３】
前記主表示スクリーンと前記補助表示スクリーンとは、前記電子機器の同一面に位置する
請求項２に記載の電子機器。
【請求項４】
前記補助表示スクリーンの表示領域面積は、前記主表示スクリーンの表示領域面積よりも小さい
請求項１〜３のいずれか一項に記載の電子機器。
【請求項５】
前記補助表示スクリーンは、前記電子機器のホームボタンに設けられている
請求項４に記載の電子機器。
【請求項６】
前記補助表示スクリーンの形状は、前記ホームボタンの形状に合わせる
請求項５に記載の電子機器。
【請求項７】
前記第２表示モードは、前記電子機器のオフ状態であっても表示オン状態にあることをさらに含む
請求項１〜６のいずれか一項に記載の電子機器。
【請求項８】
バッテリをさらに含み、
前記バッテリは、前記電子機器のオフ状態において、前記補助表示スクリーンに電力を供給する
請求項７に記載の電子機器。
【請求項９】
前記補助表示スクリーンは、前記第２表示モードで現在の時間情報を表示する
請求項１〜８のいずれか一項に記載の電子機器。
【請求項１０】
プロセッサをさらに含み、
前記補助表示スクリーンは、前記プロセッサに接続されるとともに、前記プロセッサからの命令に応じて、前記第２表示モードで前記電子機器におけるシステムプログラムまたはアプリケーションプログラムの関連情報を表示する
請求項１〜９のいずれか一項に記載の電子機器。
【請求項１１】
前記関連情報は、提示情報または通知情報を含む
請求項１０に記載の電子機器。
【請求項１２】
前記プロセッサからの命令を受信していない時、前記補助表示スクリーンにて現在の時間情報を表示しており、
前記プロセッサからの命令を受信した後、前に表示された現在の時間情報の代わりに、前記補助表示スクリーンにて前記関連情報を表示する
請求項１０または１１に記載の電子機器。
【請求項１３】
前記補助表示スクリーンは、液晶表示スクリーン、ＡＭＯＬＥＤスクリーン、または電子ペーパースクリーンの少なくとも１つを含む
請求項１〜１２のいずれか一項に記載の電子機器。
【請求項１４】
前記補助表示スクリーンは、タッチスクリーンである
請求項１〜１３のいずれか一項に記載の電子機器。
【請求項１５】
前記補助表示スクリーンは、指紋認証機能を持っている
請求項１４に記載の電子機器。
【請求項１６】
それぞれ電子機器の異なる領域に位置する主表示スクリーンと補助表示スクリーンを含む電子機器の制御方法であって、
前記電子機器がオンとなると、非待機状態で表示オン状態にあり、待機状態中または前記電子機器がオフとなると、表示オフ状態にある第１表示モードで、前記主表示スクリーンが表示することと、
前記電子機器がオンとなると、常に表示状態にある第２表示モードで、前記補助表示スクリーンが表示することと、を含む
制御方法。
【請求項１７】
前記第２表示モードはさらに、前記電子機器のオフ状態であっても表示オン状態にある
請求項１６に記載の制御方法。
【請求項１８】
前記補助表示スクリーンは、前記第２表示モードで現在の時間情報を表示する
請求項１６または１７に記載の制御方法。
【請求項１９】
前記補助表示スクリーンは、前記第２表示モードで前記電子機器におけるシステムプログラムまたはアプリケーションプログラムの関連情報を表示する
請求項１６〜１８のいずれか一項に記載の制御方法。
【請求項２０】
プロセッサからの命令を受信していない時、現在の時間情報を表示しており、前記プロセッサからの命令を受信した後、前に表示された現在の時間情報の代わりに、前記関連情報を表示するように、前記補助表示スクリーンを配置する
請求項１９に記載の制御方法。
【発明の詳細な説明】
【技術分野】
【０００１】
本発明の実施例は、電子機器および該電子機器の制御方法に関する。
【背景技術】
【０００２】
スマートフォンの発展に伴い、携帯電話のスクリーンサイズの増大や解像度の向上によって、スクリーンで消費された電力も増やしているが、多くのユーザーは時間確認などの簡単な機能だけのためにスクリーンをオンにし、その間には時間だけでなく、電力も無駄に費やして、ボタンが頻繁に押されるとその寿命に影響を与える。これに対し、サムソン、ＬＧディスプレイ、ノキアなどの会社は「Ａｌｗａｙｓ  Ｏｎ」機能を開発し、即ち非常に低い輝度でスクリーンを常時オンにさせる。しかしながら、このように輝度が低くなるが、スクリーン全体をオンにする必要があり、スクリーンサイズが増えれば、消費電力も大きくなり、特にＡＭＯＬＥＤスクリーンの場合、長時間点灯するとスクリーンの寿命に極めて大きい影響を与える。
【発明の概要】
【０００３】
本発明の実施例は、上記課題を解決するために、電子機器および電子機器に用いられる制御方法を提供することを目的とする。
【０００４】
本発明の少なくとも１つの実施例は、主表示スクリーンと補助表示スクリーンとを含む電子機器であって、前記主表示スクリーンと前記補助表示スクリーンとは、それぞれ前記電子機器の異なる領域に位置し、前記主表示スクリーンは、第１表示モードで表示するように配置され、表示スクリーンは、第２表示モードで表示するように配置され、前記第１表示モードは、前記電子機器がオンとなると、非待機状態で表示オン状態にあり、待機状態中または前記電子機器がオフとなると、表示オフ状態にあるモードであり、前記第２表示モードは、前記電子機器がオンとなると、常に表示状態にあるモードである電子機器、を提供する。
【０００５】
例えば、該電子機器において、前記主表示スクリーンは、前記電子機器の上面における中間領域に設けられ、前記補助表示スクリーンは、前記電子機器の上面における前記中間領域周りの周辺領域に設けられている。例えば、該電子機器において、前記主表示スクリーンと前記補助表示スクリーンとは、前記電子機器の同一面に位置する。
【０００６】
例えば、該電子機器において、前記補助表示スクリーンの表示領域面積は、前記主表示スクリーンの表示領域面積よりも小さい。
【０００７】
例えば、該電子機器において、前記補助表示スクリーンは、前記電子機器のホームボタンに設けられている。
【０００８】
例えば、該電子機器において、前記補助表示スクリーンの形状は、前記ホームボタンの形状に合わせる。
【０００９】
例えば、該電子機器において、前記第２表示モードは、前記電子機器のオフ状態であっても表示オン状態にあることをさらに含む。
【００１０】
例えば、該電子機器は、バッテリをさらに含んでおり、前記バッテリは、前記電子機器のオフ状態において、前記補助表示スクリーンに電力を供給する。
【００１１】
例えば、該電子機器において、前記補助表示スクリーンは、前記第２表示モードで現在の時間情報を表示する。
【００１２】
例えば、該電子機器は、プロセッサをさらに含んでおり、前記補助表示スクリーンは、前記プロセッサに接続されるとともに、前記プロセッサからの命令に応じて、前記第２表示モードで前記電子機器におけるシステムプログラムまたはアプリケーションプログラムの関連情報を表示する。
【００１３】
例えば、該電子機器において、前記関連情報は、提示情報または通知情報を含む。
【００１４】
例えば、該電子機器において、前記プロセッサからの命令を受信していない時、前記補助表示スクリーンにて現在の時間情報を表示しており、前記プロセッサからの命令を受信した後、前に表示された現在の時間情報の代わりに、前記補助表示スクリーンにて前記関連情報を表示する。
【００１５】
例えば、該電子機器において、前記補助表示スクリーンは、液晶表示スクリーン、ＡＭＯＬＥＤスクリーン、または電子ペーパースクリーンの少なくとも１つを含む。
【００１６】
例えば、該電子機器において、前記補助表示スクリーンは、タッチスクリーンである。
【００１７】
例えば、該電子機器において、前記補助表示スクリーンは、指紋認証機能を持っている。
【００１８】
本発明の少なくとも１つの実施例は、それぞれ電子機器の異なる領域に位置する主表示スクリーンと補助表示スクリーンを含む電子機器の制御方法であって、前記電子機器がオンとなると、非待機状態で表示オン状態にあり、待機状態中または前記電子機器がオフとなると、表示オフ状態にある第１表示モードで、前記主表示スクリーンが表示することと、前記電子機器がオンとなると、常に表示状態にある第２表示モードで、前記補助表示スクリーンが表示することと、を含む方法、をさらに提供する。
【００１９】
例えば、該方法において、前記第２表示モードはさらに、前記電子機器のオフ状態であっても表示オン状態にある。
【００２０】
例えば、該方法において、前記補助表示スクリーンは、前記第２表示モードで現在の時間情報を表示する。
【００２１】
例えば、前記電子機器は、前記補助表示スクリーンに接続されたプロセッサをさらに含んでおり、前記方法は、前記プロセッサからの命令に応じて、前記第２表示モードで前記電子機器におけるシステムプログラムまたはアプリケーションプログラムの関連情報を前記補助表示スクリーンにて表示することを含む。
【００２２】
例えば、該方法におい、前記関連情報は、提示情報または通知情報を含む。
【００２３】
例えば、該方法において、前記プロセッサからの命令を受信していない時、現在の時間情報を表示しており、前記プロセッサからの命令を受信した後、前に表示された現在の時間情報の代わりに、前記関連情報を表示するように、前記補助表示スクリーンを配置する。
【図面の簡単な説明】
【００２４】
以下、本発明の実施例による技術手段をより明確に説明するために、実施例の説明に必要な図面を簡単に説明する。下で述べる図面は、単なる本発明の例示的な実施例である。
【図１】図１は本発明の実施例に係る電子機器の構造模式図である。
【図２】図２は本発明の実施例に係る電子機器の第１応用例の模式図である。
【図３】図３は本発明の実施例に係る電子機器の第２応用例の模式図である。
【図４】図４は本発明の実施例に係る電子機器の第３応用例の模式図である。
【図５】図５は本発明の実施例に係る電子機器の制御方法のフローチャートである。
【発明を実施するための形態】
【００２５】
以下、本発明の好ましい実施例について、図面を参照しながら詳細的に説明する。なお、本明細書または図面において、実質的に同じステップおよび要素は同一の符号で示され、これらのステップおよび要素について重複の説明を省略する。
【００２６】
本発明の以下の実施例において、電子機器とは、他の機器と通信可能な機器である。電子機器の具体的な形態としては、例えば、携帯電話、タブレットＰＣ、デジタルカメラ、パーソナルデジタルアシスタント、ポータブルコンピュータ、ゲーム機などが含まれているが、これらに限定されない。本発明の実施例は、携帯電話だけを例として説明する。
【００２７】
図１は本発明の実施例に係る電子機器の構造模式図である。図１に示すように、電子機器１００は、主表示スクリーン１１０と補助表示スクリーン１２０を含む。本発明の一例としては、補助表示スクリーンは、主表示スクリーンに比べて面積が小さい。あるいは、補助表示スクリーンの電子機器に占める体積は、主表示スクリーンの電子機器に占める体積よりも小さい。本発明の一例としては、主表示スクリーン１１０と補助表示スクリーン１２０とは、それぞれ電子機器の異なる領域に位置する。例えば、主表示スクリーン１１０と補助表示スクリーン１２０とは、電子機器の同一面に位置してもよい。例えば、主表示スクリーン１１０は、電子機器表面の上方位置に位置しており、補助表示スクリーン１２０は、電子機器表面の下方位置に位置する。あるいは、主表示スクリーン１１０は、電子機器表面の下方位置に位置しており、補助表示スクリーン１２０は、電子機器表面の上方位置に位置する。つまり、主表示スクリーン１１０と補助表示スクリーン１２０とが電子機器の同一面に位置すると、補助表示スクリーン１２０は主表示スクリーン１１０より上方に位置してもよく、主表示スクリーン１１０より下方に位置してもよく、さらに主表示スクリーンの左側または右側に位置してもよい。あるいは、さらに例えば、主表示スクリーン１１０は、電子機器表面の中間領域に設けられており、補助表示スクリーン１２０は、電子機器表面の中間領域周りの周辺領域に設けられている。補助表示スクリーン１２０の配置位置は、ユーザーが電子機器を持ち上げると補助表示スクリーン上の情報を容易に確認できるように、ユーザーの使用習慣に応じて設定される。
【００２８】
勿論、主表示スクリーン１１０と補助表示スクリーン１２０とは、電子機器の異なる面に位置してもよい。例えば、主表示スクリーン１１０は、電子機器の表面に位置し、補助表示スクリーン１２０は、電子機器の側面または裏面に位置しており、本発明はこれに限定されなく、当業者にとって、補助表示スクリーンの位置を必要に応じて設定することができる。
【００２９】
なお、補助表示スクリーンは複数であってもよく、それぞれ電子機器の同一面、または異なる面に位置しており、異なる補助表示スクリーンは、同じ内容を表示してもよく、異なる表示内容を表示してもよい。
【００３０】
図１に示すように、補助表示スクリーン１２０の表示領域面積は、主表示スクリーン１１０の表示領域面積よりも小さい。例えば、補助表示スクリーン１２０は電子機器のホームボタン１３０に設けられ、またはホームボタン１３０の形状に合わせる。本発明の一例としては、「合わせる」とは、補助表示スクリーン１２０の形状がホームボタン１３０の形状と同一または類似し、あるいはホームボタンの使用に支障をもたらすことなくホームボタン１３０を覆うことを意味する。例えば、ホームボタンが円形となると、補助表示スクリーン１２０も円形に設置されており、ホームボタンが四角形となると、補助表示スクリーン１２０も四角形に設置される。補助表示スクリーン１２０がホームボタンに設けられ、またはホームボタンの形状と合わせると、補助表示スクリーン１２０の表示領域面積は、主表示スクリーン１１０の表示領域面積よりはるかに小さい。このように、補助表示スクリーン１２０をオンにする電力を節約する一方、電子機器に占めるスペースも低減させる。
【００３１】
本発明の実施例において、主表示スクリーン１１０は、第１表示モードで表示するように配置されており、補助表示スクリーンは、第２表示モードで表示するように配置される。第１表示モードは、例えば、電子機器がオンとなると、非待機状態で表示オン状態にあり、待機状態中または電子機器がオフとなると、表示オフ状態にあるモードである。第２表示モードは、例えば、電子機器がオンとなると、常に表示状態にあるモードである。つまり、主表示スクリーン１１０は、従来の電子機器の表示スクリーンの表示モードであり、即ち電源オンで通常使用状態となると、表示スクリーンがオンにされ、バックライトが点灯し、表示スクリーン上の表示内容がユーザーに見えられる。また、待機状態または電源オフ状態であれば、表示スクリーンがオフにされ、バックライトが消灯し、表示スクリーン上の表示内容がユーザーに見えられなくなる。補助表示スクリーン１２０は、電源オンに際して、常にオンにされており、ユーザーは、補助表示スクリーン１２０での表示内容を随時確認できる。補助表示スクリーンの表示面積が小さく、画像の精細度や色彩への要求が低いので、長時間にオンにされても、消費電力が低いため、主表示スクリーンをオンにして、例えば現在の時間情報などのユーザーによく使われる情報を確認することに比べると、電気エネルギーを節約して、省電力化を図れる。そして、補助表示スクリーンが常時点灯状態にあるため、その表示内容の確認におけるユーザーの利便性を向上する。
【００３２】
また、本発明の一例としては、第２表示モードはさらに、電子機器のオフ状態であっても表示オン状態にあるように、配置される。つまり、第２表示モードで表示された補助表示スクリーン１２０は、電子機器の電源オフの時にもオンにされてもよく、このように、ユーザーは、夜間に情報を容易に確認でき、または携帯電話がバッテリ切れの場合でも情報を確認することができる。例えば、電子機器は、バッテリを含んでおり、該バッテリは、電子機器のオフ状態において、補助表示スクリーン１２０に電力を供給して、そのオン状態を長時間に維持する。
【００３３】
本発明の一例としては、補助表示スクリーンは、タッチスクリーンであってもよい。ユーザーは、電子機器への入力制御操作を実現するように、補助表示スクリーンによってタッチ操作を行ってもよい。補助表示スクリーンは、電子機器への入力操作を制御されるように、例えば、クリック、押圧、スライドなどのタッチ操作を受けてもよく、主表示スクリーン１１０へのタッチ操作と組み合わせてもよい。
【００３４】
本発明の一例としては、補助表示スクリーンは、指紋認証機能を持っており、ユーザーによる電源オンまたは他の身元認証が必要とする場合、補助表示スクリーンにて指紋情報を収集して、ユーザーの身元認証を行うことができる。
【００３５】
また、補助表示スクリーンは、多種のタイプで有り得る。その例としては、液晶表示スクリーン、アクティブマトリックス式有機発光ダイオードスクリーン（ＡＭＯＬＥＤ）、または電子ペーパースクリーンの少なくとも１つが挙げられる。
【００３６】
本発明の実施例は、電子機器において補助表示スクリーンを設置することで、主表示スクリーンにて時間などのよく使われる情報への確認に起因する無駄な電力消費が生じない上で、ユーザーへの利便性も向上できる。表示面積が小さく、画像の精細度および色彩への要求が低いので、非常に低い消費電力で常時点灯状態を維持でき、時間または通知などの確認機能の簡略化を図れる。
【００３７】
図２は、本発明の実施例に係る電子機器の第１応用例の模式図である。図２に示すように、補助表示スクリーン１２０は、第２表示モードで現在の時間情報を表示する。図３は、本発明の実施例に係る電子機器の第２応用例の模式図である。図３に示すように、補助表示スクリーン１２０は、第２表示モードでメール通知メッセージを表示する。図４は、本発明の実施例に係る電子機器の第３応用例の模式図である。図４に示すように、補助表示スクリーン１２０は、第２表示モードでアプリケーションプログラムの終了ボタンを表示する。補助表示スクリーン１２０がユーザーにタッチされると、現在のアプリケーションプログラムは終了する。
【００３８】
本発明の一例としては、電子機器は、プロセッサをさらに含んでおり、該プロセッサは、電子機器における基本プロセッサ、例えばＣＰＵであってもよく、専用プロセッサチップであってもよい。本発明の一例としては、プロセッサの数は１つであってもよく複数であってもよく、１つのプロセッサは２つの表示スクリーンと同時に接続されてもよく１つの表示スクリーンのみと接続されてもよく、また、複数のプロセッサは１つの表示スクリーンと接続されてもよい。例えば、補助表示スクリーン１２０は、プロセッサに接続されるとともに、プロセッサからの命令に応じて、第２表示モードで電子機器におけるシステムプログラムまたはアプリケーションプログラムの関連情報を表示する。例えば、アプリケーションプログラムの提示情報または通知情報が挙げられる。補助表示スクリーン１２０は、現在のアプリケーションプログラムの属性に応じて、現在実行しているアプリケーションプログラムに対応する表示情報を表示することができる。補助表示スクリーン１２０で表示された情報は、ユーザーにより設定されてもよく、アプリケーションプログラムまたはシステムプログラムの通知メッセージの表示に対して優先順位が設定されてもよい。
【００３９】
例えば、プロセッサからの命令を受信していない時、補助表示スクリーン１２０は、デフォルトの現在時間情報を表示しており、メールアプリで新着メールを受信すると、プロセッサは、前のイベント情報の代わりにメールアイコンを表示するように、補助表示スクリーン１２０に命令を送信して、新着メールを確認する必要があることをユーザーに通知する。新着メールがユーザーに確認された後、新着メールアイコンではなく、例えば現在時間情報のようなデフォルト情報を補助表示スクリーン１２０にて表示する。
【００４０】
また、例えば、現在のアプリケーションプログラムがビデオ再生アプリである場合、補助表示スクリーン１２０は、ビデオ再生アプリに関連する情報を表示することができる。例えば、ビデオ一時停止、ビデオ閉じ、音量制御または進度制御などが挙げられる。図４は、アプリケーションプログラムの一時停止アイコン（ｐｒｅｓｓ  ｔｏ  ｓｔｏｐ）の表示を示しており、ユーザーは、補助表示スクリーン１２０にタッチすることで、現在のアプリケーションプログラムを一時停止することができる。
【００４１】
また、本発明の実施例において、補助表示スクリーン１２０は、ホームボタンの所在する位置に設けられている。補助表示スクリーン１２０がタッチ機能を持っている場合、そのタッチ機能はホームボタンの機能と区別されてもよい。例えば、ユーザーは、補助表示スクリーン１２０にタッチ、上下左右スライド操作を実現することで、補助表示スクリーン１２０によるタッチ機能を実現する。また、ユーザーは、ボタンを押すと、ホームボタンの機能を実現する。
【００４２】
選択的に、補助表示スクリーン１２０がタッチ機能を持っている場合、そのタッチ機能はホームボタンの機能と統合されてもよい。つまり、ホームボタンは、表示機能およびタッチ機能の両方を有するボタンとして実現される。タッチ操作を受けていないと、ホームボタンは、例えば現在時間やシステム通知、アプリ通知のような情報を表示する。タッチ操作を受けすべきであると、ホームボタンは、上下左右スライドタッチ、およびクリック、ダブルクリック、押圧などの操作を受けることで、異なる入力コマンドを実行することができる。
【００４３】
本発明の実施例は、ホームボタンに設けられた補助表示スクリーンにてアプリケーションプログラムまたはシステムプログラムの通知を表示することで、ユーザーがメッセージを容易かつ迅速に確認でき、電子機器に占めるスペースも余分に増やせず、電子機器の外観の見栄えに加えて、その実用性も図れる。
【００４４】
図５は、本発明の実施例に係る電子機器の制御方法のフローチャートである。該制御方式は、上記実施例における電子機器の制御方法であるので、電子機器の構造および機能に対応する。明細書の簡略化のために、以下簡単に説明する。
【００４５】
制御方法に対応する電子機器は、それぞれ電子機器の異なる領域に位置する主表示スクリーンと補助表示スクリーンを含む。
【００４６】
図５に示すように、電子機器の制御方法５００は以下のステップを含む。
【００４７】
ステップＳ５０１において、電子機器がオンとなると、非待機状態で表示オン状態にあり、待機状態中または電子機器がオフとなると、表示オフ状態にある第１表示モードで表示するように、主表示スクリーンを配置する。
【００４８】
ステップＳ５０２において、電子機器がオンとなると、常に表示状態にある第２表示モードで表示するように、補助表示スクリーンを配置する。
【００４９】
本発明の一例としては、第２表示モードはさらに、電子機器のオフ状態であっても表示オン状態にある。
【００５０】
本発明の一例としては、第２表示モードで現在の時間情報を表示するように、補助表示スクリーンを配置する。
【００５１】
本発明の一例としては、電子機器は、補助表示スクリーンに接続されたプロセッサをさらに含んでおり、制御方法は、プロセッサからの命令に応じて、第２表示モードで前記電子機器におけるシステムプログラムまたはアプリケーションプログラムの関連情報を表示するように、補助表示スクリーンを配置することをさらに含む。
【００５２】
本発明の一例としては、関連情報は、提示情報または通知情報を含む。
【００５３】
本発明の一例としては、プロセッサからの命令を受信していない時、現在の時間情報を表示しており、プロセッサからの命令を受信した後、前に表示された現在の時間情報の代わりに、関連情報を表示するように、補助表示スクリーンを配置する。
【００５４】
本発明の実施例は、電子機器への制御によって、電子機器の補助表示スクリーンにてユーザーによく使われるある情報、またはアプリケーションプログラム、システムプログラムの通知情報を長時間に表示することができ、補助表示スクリーンのスクリーンサイズが小さいので、電子機器の省電力化に加えて、情報確認におけるユーザーの利便性も向上する。
【００５５】
本明細書に開示されている実施例に説明された各例示におけるユニットおよびアルゴリズムステップを、電子ハードウェア、コンピュータソフトウェア、または両方の組み合わせで実現できることと当業者に理解される。また、ソフトウェアモジュールは、任意の形式のコンピュータ記憶媒体に配置されてもよい。ハードウェアとソフトウェアの互換性を明確に説明するために、上記説明において機能に従って各例示の構成およびステップを一般的に説明する。これらの機能がハードウェア方式で実行されるかソフトウェア方式で実行されるかは、技術手段の特定の応用または設計制約条件に決められる。当業者にとって、特定の応用の各々に対し、別々の方法で説明された機能を実現することが可能であるが、このような実現は本発明の範囲を逸脱するものではないと理解されるであろう。
【００５６】
添付した特許請求の範囲およびその均等物の範囲を逸脱しない限り、設計ニーズまたは他の要素に応じて、本発明に対して様々な修正、組み合わせ、部分的組み合わせや置き換えを行えることと当業者に理解されるであろう。
【００５７】
本願は、２０１６年１１月１８日に提出された中国特許出願第２０１６１１０２８８０２．９号の優先権を主張し、ここで上記中国特許出願の全ての内容は参照により本願の一部として組み込まれた。
【符号の説明】
【００５８】
１００  電子機器
１１０  主表示スクリーン
１２０  補助表示スクリーン
１３０  ホームボタン
【図１】
2020504912.tif 000003
【図２】
2020504912.tif 000004
【図３】
2020504912.tif 000005
【図４】
2020504912.tif 000006
【図５】
2020504912.tif 000007
【国際調査報告】
2020504912.tif 000008
2020504912.tif 000009
2020504912.tif 000010
2020504912.tif 000011
2020504912.tif 000012
2020504912.tif 000013